(57)【要約】【課題】突き合わせられた縦框の相互間から室内に水が浸入する事態を可及的に防止すること。【解決手段】下枠１２に対してレール部１４を着脱可能に配設した開口枠１０と、レール部１４を介して開口枠１０にスライド可能に配設し、かつ開口枠１０を閉じた場合に互いに縦框２３を突き合わせた状態で配置される複数の障子２０とを備え、レール部１４は、開口枠１０を閉じた際の障子２０の突き合わせ位置２０Ａから長手方向にずれた位置が分割面１４Ａとなる状態で下枠１２の長手方向に沿って複数配設し、かつレール部１４と下枠１２との間には少なくとも分割面１４Ａから障子２０の突き合わせ位置２０Ａを超える部位までの間の全長に渡って止水材３０を配設した。【選択図】図５
2014070404.tif 000002
【特許請求の範囲】
【請求項１】
下枠に対してレール部を着脱可能に配設した開口枠と、前記レール部を介して前記開口枠にスライド可能に配設し、かつ前記開口枠を閉じた場合に互いに縦框を突き合わせた状態で配置される複数の障子とを備えた建具において、
前記レール部は、前記開口枠を閉じた際の前記障子の突き合わせ位置から長手方向にずれた位置が分割面となる状態で前記下枠の長手方向に沿って複数配設し、かつ前記レール部と前記下枠との間には少なくとも前記障子の突き合わせ位置を含む部位に止水材を配設したことを特徴とする建具。
【請求項２】
前記止水材は、前記レール部と前記下枠との間において長手方向の一部分にのみ配設したものであり、
前記下枠には、前記止水材の端部において少なくとも前記レール部の分割面に近接した一方に対応する位置に排水孔を形成したことを特徴とする請求項１に記載の建具。
【請求項３】
前記縦框を突き合わせた状態で配置される障子には、個々の下端部に互いに見込み方向に重なる重合ヒレ部を有したブロック部材を配設したことを特徴とする請求項１に記載の建具。
【請求項４】
前記レール部は、その上部に障子を支持し、かつ前記下枠の上面に対して平坦状に配置される平板状の障子支持面を有したことを特徴とする請求項１に記載の建具。
【請求項５】
前記レール部の見付け面に前記止水材を貼り付けたことを特徴とする請求項４に記載の建具。
【発明の詳細な説明】
【技術分野】
【０００１】
本発明は、建具に関するもので、特に、下枠に対してレール部を着脱可能に配設した開口枠と、レール部を介して開口枠にスライド可能に配設し、かつ開口枠を閉じた場合に互いに縦框を突き合わせた状態で配置される複数の障子とを備えた建具に関する。
【背景技術】
【０００２】
昨今の建具には、バリヤフリーを実現するために、障子を支持するレール部の上端部を平板状に構成し、かつ全体の高さを揃えるようにしたものが提供されている。この種の建具では、下枠に段差を無くすことができるため、高齢者や障害者にとっても安全性が高く、使い勝手が良いものとなる。しかしながら、レール部の上端部を平坦状に構成した建具では、内部に進入したゴミ等の異物を除去する作業が煩雑になる等、メインテナンス性を考慮した場合、必ずしも好ましいとはいえない。
【０００３】
このため従来では、下枠に対してレール部を着脱可能に構成し、メインテナンスを行う際に下枠からレール部を取り外すようにしたものも提供されている。長尺部材であるレール部材は、例えば等分割してあり、その取り扱い性についても考慮されている。こうした建具によれば、メインテナンス性を損なうことなくバリヤフリーを具現化できるようになる（例えば、特許文献１参照）。
【先行技術文献】
【特許文献】
【０００４】
【特許文献１】特許第４２８６６２７号公報
【発明の概要】
【発明が解決しようとする課題】
【０００５】
ところで、４枚建て等、開口枠を閉じた際に２枚の障子が互いに縦框を突き合わせた状態となる建具では、室外側から風圧力を受けた際にそれぞれの障子が室内側に向けて凸となるように湾曲する場合がある。上述した特許文献１に記載の建具では、突き合わせられる縦框の間に互いに見込み方向に重なるヒレ部分を有したブロック状部材を設けて気密性を高めるようにしているものの、障子のそれぞれが湾曲状に変形した場合、縦框の相互間距離が広がることになり、外気の室内への進入を完全に遮断することは困難である。
【０００６】
ここで、下枠に対してレール部が着脱可能に構成された建具では、障子から下枠に滴下した雨水等の水が下枠とレール部との隙間を介して長手方向及び短手方向に移動可能である。特に、レール部が分割構成された建具では、レール部の分割面を通じて水が下枠の上方部に現れる場合もある。このため、下枠の水が縦框の相互間に到達した場合には、進行する空気に伴って比較的容易に室内側に浸入する恐れがある。
【０００７】
本発明は、上記実情に鑑みて、突き合わせられた縦框の相互間から室内に水が浸入する事態を可及的に防止することのできる建具を提供することを目的とする。
【課題を解決するための手段】
【０００８】
上記目的を達成するため、本発明に係る建具は、下枠に対してレール部を着脱可能に配設した開口枠と、前記レール部を介して前記開口枠にスライド可能に配設し、かつ前記開口枠を閉じた場合に互いに縦框を突き合わせた状態で配置される複数の障子とを備えた建具において、前記レール部は、前記開口枠を閉じた際の前記障子の突き合わせ位置から長手方向にずれた位置が分割面となる状態で前記下枠の長手方向に沿って複数配設し、かつ前記レール部と前記下枠との間には少なくとも前記障子の突き合わせ位置を含む部位に止水材を配設したことを特徴とする。
【０００９】
この発明によれば、レール部の分割面と障子の突き合わせ位置とが互いに長手方向にずれて配置されるため、レール部の分割面に到達した水が直ちに突き合わせ位置の間を通過する空気によって室内側に運ばれる恐れがなく、また、突き合わせ位置から吹き込む外気や雨水等の水がレール部の分割面へ進入する事態を抑制することができる。しかも、止水材によって障子の突き合わせ位置への水の移動が抑制される。
【００１０】
また、本発明は、上述した建具において、前記止水材は、前記レール部と前記下枠との間において長手方向の一部分にのみ配設したものであり、前記下枠には、前記止水材の端部において少なくとも前記レール部の分割面に近接した一方に対応する位置に排水孔を形成したことを特徴とする。
【００１１】
この発明によれば、止水材によって移動が抑制された水は排出孔を介して下枠から排出され、下枠に貯留されない。
【００１２】
また、本発明は、上述した建具において、前記縦框を突き合わせた状態で配置される障子には、個々の下端部に互いに見込み方向に重なる重合ヒレ部を有したブロック部材を配設したことを特徴とする。
【００１３】
この発明によれば、ブロック部材のヒレ部分によって障子の突き合わせ部分に迷路が構成されるため、外気や水の通過が抑制される。
【００１４】
また、本発明は、上述した建具において、前記レール部は、その上部に障子を支持し、かつ前記下枠の上面に対して平坦状に配置される平板状の障子支持面を有したことを特徴とする。
【００１５】
この発明によれば、下枠の上面に段差を無くしてバリヤフリーに適した建具を提供することができる。
【００１６】
また、本発明は、上述した建具において、前記レール部の見付け面に前記止水材を貼り付けたことを特徴とする。
【００１７】
この発明によれば、止水材によってレール部の取り付け高さが影響を受けることがなく、また水が下方から上方へ移動し難い見付け面に止水材を貼り付けたので効果的に止水することができる。
【発明の効果】
【００１８】
本発明によれば、レール部の分割面と障子の突き合わせ位置とが互いに長手方向にずれて配置されるため、レール部の分割面に到達した水が直ちに縦框の間を通過する空気によって室内側に運ばれる恐れがない。しかも、止水材によって障子の突き合わせ位置への水の移動が抑制されるため、突き合わせられた縦框の相互間から室内に水が浸入する事態を可及的に防止することができる。
【図面の簡単な説明】
【００１９】
【図１】図１は、本発明の実施の形態である建具の縦断面図である。
【図２】図２は、図１に示した建具の横断面図である。
【図３】図３は、図１に示した建具を室内側から見た外観図である。
【図４】図４は、図１に示した建具の下枠を拡大して示す縦断面図である。
【図５】図５は、図１に示した建具に適用する下枠を一部破断して示した斜視図である。
【図６】図６は、図５に示した下枠からレール部を取り外した状態の分解斜視図である。
【図７】図７は、図１に示した建具の障子を室内側から見た要部斜視図である。
【図８】図８は、図１に示した建具の障子を室外側から見た要部斜視図である。
【図９】図９は、図１に示した建具の要部を示したもので、（ａ）は突き合わせ框が離隔した状態の底面図、（ｂ）は、突き合わせ框が突き合った状態の底面図である。
【発明を実施するための形態】
【００２０】
以下、添付図面を参照しながら本発明に係る建具の好適な実施の形態について詳細に説明する。
【００２１】
図１〜図４は、本発明の実施の形態である建具を示したものである。ここで例示する建具は、開口枠１０に対して４枚の障子２０を左右方向に配設した４枚建ての引き違い窓である。
【００２２】
障子２０は、それぞれ上框２１、下框２２及び左右一対の縦框２３，２４を四周框組みすることによって矩形状に構成した框の内部に中桟２５を挟んで上下２枚の面材２６を保持したものである。障子２０の各框２１，２２，２３，２４及び中桟２５は、それぞれアルミニウムやアルミニウム合金の押し出し型材によって所定の横断面形状を有するように構成してある。尚、適用する障子としては、必ずしも中桟２５を備えたものに限らない。
【００２３】
図３に示すように、本実施の形態では、中央に位置する２枚の障子（以下、区別する場合に「内障子２０」という）が室内側に配置してあるとともに、内障子２０の両側に位置する２枚の障子（以下、区別する場合に「外障子２０」という）が室外側に配置してある。２枚の内障子２０が互いに縦框２３，２３を突き合わせ、かつ内障子２０の両側に位置する縦框２４，２４に対してそれぞれ外障子２０の一方の縦框２４，２４が召し合わせの位置となるように配置された場合に４枚の障子２０によって開口枠１０が閉じられるようにそれぞれの寸法が設定してある。
【００２４】
各障子２０の下框２２には、図１に示すように、内部に戸車２７が設けてあるとともに、戸車２７の両側となる位置にそれぞれ挿入ヒレ部２２ａが設けてある。戸車２７は、図には明示していないが、見込み方向に沿った軸を中心として回転可能に支持させたもので、下框２２の両端となる部位に配設してある。挿入ヒレ部２２ａは、下框２２の長手方向の全長に渡る部位から見付け面に沿って下方に突出した板状部分であり、突出端部が戸車２７の最下周面よりもさらに下方に位置している。
【００２５】
互いに召し合わせの位置となる内障子２０の縦框２４と外障子２０の縦框２４（以下、互いに召しあわせの位置に配置される縦框を「召し合わせ框２４」という）との間には、図２及び図３に示すように、室内側に位置する部位にクレセント２８及びクレセント受け２９が互いに対応して設けてある。クレセント２８及びクレセント受け２９は、召し合わせ框２４，２４が召し合わせ位置に配置された状態でクレセント２８を施錠操作した場合にクレセント受け２９に係合し、内障子２０と外障子２０との相対移動を阻止することが可能である。クレセント２８を開錠操作した場合には、クレセント２８とクレセント受け２９とが非係合の状態となり、内障子２０と外障子２０とを相対的に移動させることができる。
【００２６】
内障子２０の召し合わせ框２４及び外障子２０の召し合わせ框２４には、図２に示すように、互いに対向する見付け面に煙返し２４ａが設けてある。煙返し２４ａは、それぞれの見付け面から略直角方向に突出した後、先端部分が見付け面に対してほぼ平行となるように略直角に屈曲した薄板状部分である。召し合わせ框２４，２４が召しあわせの位置に配置された場合、煙返し２４ａの屈曲した先端部分が、他方の煙返し２４ａの屈曲した先端部分と召し合わせ框２４の見付け面との間に配置されるようにそれぞれの煙返し２４ａが構成してある。
【００２７】
２枚の内障子２０の互いに突き合わされる縦框（以下、「突き合わせ框２３」という）には、見込み面の一方に内装噛合部１２０が設けてあり、かつ見込み面の他方に外装噛合部１３０が設けてある。図２、図７、図８に示すように、内装噛合部１２０は、一方の突き合わせ框２３の全長に渡る見込み面から他方の突き合わせ框２３の見込み面に向けて突出した一対の内装ヒレ部１２１，１２２を有したものであり、外装噛合部１３０は、他方の突き合わせ框２３の全長に渡る見込み面から一方の突き合わせ框２３の見込み面に向けて突出した一対の外装ヒレ部１３１，１３２を有したものである。
【００２８】
室外側に位置する内装ヒレ部（以下、区別する場合に「内装外側ヒレ部１２１」という）は、見込み面からほぼ直角となる方向に突出した後、突出端部がわずかに室内側に向けて傾斜している。室内側に位置する内装ヒレ部（以下、区別する場合に「内装内側ヒレ部１２２」という）は、見込み面からほぼ直角となる方向に突出した後、一旦室内側に向けて屈曲し、さらに１８０°反転して室外側に延在している。内装内側ヒレ部１２２の突出端部は、突き合わせ框２３の見込み面とほぼ平行となるように延在した押圧面１２２ａを構成している。
【００２９】
室外側に位置する外装ヒレ部（以下、区別する場合に「外装外側ヒレ部１３１」という）は、見込み面からほぼ直角となる方向に突出したもので、突出端部において室内側に位置する部位に第１タイト材１３３を保持している。この外装外側ヒレ部１３１は、２枚の内障子２０を互いに突き合わせた場合に内装外側ヒレ部１２１よりも室外側に位置し、第１タイト材１３３を内装外側ヒレ部１２１の傾斜した先端部に圧接させることのできる位置に設けてある。
【００３０】
室内側に位置する外装ヒレ部（以下、区別する場合に「外装内側ヒレ部１３２」という）は、見込み面からほぼ直角となる方向に突出したもので、突出端部に第２タイト材１３４を保持しているとともに、室内側に位置する部位に内方カバー部１３５を有している。第２タイト材１３４は、２枚の内障子２０を互いに突き合わせた場合に内装内側ヒレ部１２２の押圧面１２２ａに圧接させることができるように設けてある。内方カバー部１３５は、第２タイト材１３４を保持する部分から一旦室内側に向けて屈曲した後、さらに屈曲して他方の突き合わせ框２３に向けて延在したものである。この内方カバー部１３５は、２枚の内障子２０を互いに突き合わせた場合に内装内側ヒレ部１２２よりも室内側に位置し、第２タイト材１３４と内装内側ヒレ部１２２の押圧面１２２ａとの圧接面を覆い隠すことができる位置に設けてある。
【００３１】
さらに、２枚の内障子２０の突き合わせ框２３には、それぞれの下端部に止水ブロック（ブロック部材）１４０，１５０が装着してある。止水ブロック１４０，１５０は、図７〜図９に示すように、室外側及び室内側で互いに重なり合う重合ヒレ部１４１，１４２，１５１，１５２を有し、突き合わせ框２３，２３を互いに突き合わせた場合にこれらの重合ヒレ部１４１，１４２，１５１，１５２によって室外側と室内側との間にそれぞれクランク状の迷路を構成するものである。
【００３２】
より具体的に説明すると、一方の突き合わせ框２３に装着した止水ブロック（以下、区別する場合に「第１止水ブロック１４０」という）には、外装外側重合ヒレ部１４１及び外装内側重合ヒレ部１４２が設けてある。外装外側重合ヒレ部１４１は、先端部の板厚が室内側から薄肉となるように構成してあり、外装内側重合ヒレ部１４２は、先端部の板厚が室外側から薄肉となるように構成してある。外装外側重合ヒレ部１４１は、外装内側重合ヒレ部１４２よりも突出量が大きく、互いに先端の位置が異なるように構成してある。
【００３３】
他方の突き合わせ框２３に装着した止水ブロック（以下、区別する場合に「第２止水ブロック１５０」という）には、第１止水ブロック１４０の外装外側重合ヒレ部１４１及び外装内側重合ヒレ部１４２に対応して内装外側重合ヒレ部１５１及び内装内側重合ヒレ部１５２が設けてある。内装外側重合ヒレ部１５１は、先端部の板厚が室外側から薄肉となるように構成してあり、内装内側重合ヒレ部１５２は、室内側から薄肉となるように構成してある。内装外側重合ヒレ部１５１は、内装内側重合ヒレ部１５２よりも突出量が小さく構成してある。
【００３４】
上記のように構成した止水ブロック１４０，１５０では、突き合わせ框２３を互いに突き合わせた場合、外装外側重合ヒレ部１４１と内装外側重合ヒレ部１５１とが互いに当接し、かつ外装内側重合ヒレ部１４２と内装内側重合ヒレ部１５２とが互いに当接した状態となり、それぞれの間にクランク状の独立した迷路が構成される。従って、室外側から室内側への水や外気の通過が大きく抑制されることになる。
【００３５】
一方、建具の開口枠１０は、図１〜図３に示すように、上枠１１、下枠１２及び左右一対の縦枠１３を四周枠組みすることにより矩形状に構成したものである。開口枠１０の下枠１２には、戸車２７を介して障子２０をスライド可能に支持するためのレール部１４が室外側及び室内側にそれぞれ設けてある。室外側のレール部（以下、区別する場合に「外レール部１４」という）及び室内側のレール部（以下、区別する場合に「内レール部１４」という）は、図１、図４〜図６に示すように、それぞれの上部に平板状の障子支持面１４ａを有するとともに、それぞれの下部に支持台部１４ｂを有したもので、支持台部１４ｂを介して下枠１２に設けた室外側のレール収容溝（以下、区別する場合に「外収容溝１５ａ」という）及び室内側のレール収容溝（以下、区別する場合に「内収容溝１５ｂ」という）に着脱可能に配設してある。尚、開口枠１０の各枠１１，１２，１３及びレール部１４は、それぞれアルミニウムやアルミニウム合金の押し出し型材によって所定の横断面形状を有するように構成してある。
【００３６】
外収容溝１５ａ及び内収容溝１５ｂは、下枠１２の見込み面に設けた内方ヒレ部１２ａと外方ヒレ部１２ｂとの間に中間ヒレ部１２ｃを設けることによって構成した下枠１２の長手方向に沿う凹所である。内方ヒレ部１２ａ、外方ヒレ部１２ｂ及び中間ヒレ部１２ｃは、それぞれレール収容溝１５ａ，１５ｂにレール部１４を収容した場合に個々の上面が障子支持面１４ａとほぼ同じ高さで互いに平坦状となるように構成してある。尚、本実施の形態では、下枠１２に設けた外方補助ヒレ部１２ｄに別体のヒレ部材１６を取り付けることによって外方ヒレ部１２ｂが構成してあるが、外方ヒレ部１２ｂを下枠１２と一体に設けるようにしても良い。
【００３７】
それぞれのレール収容溝１５ａ，１５ｂには、内部にレール支持ヒレ部１２ｅが設けてある。レール支持ヒレ部１２ｅは、レール収容溝１５ａ，１５ｂの内部において外方ヒレ部１２ｂとの間及び中間ヒレ部１２ｃとの間にそれぞれレール部１４の支持台部１４ｂを挟持することにより、下枠１２に対するレール部１４の見込み方向に沿った位置を規定するものである。
【００３８】
図２に示すように、外レール部１４及び内レール部１４は、それぞれが２分割の構成となっており、長手方向に並設することによってそれぞれが下枠１２の全長に渡る部位に配設してある。分割された外レール部１４及び内レール部１４は、それぞれ長さが異なるように構成してあり、レール収容溝１５ａ，１５ｂに配置した場合のそれぞれのレール部１４の分割面１４Ａが、開口枠１０に対して障子２０を閉じた場合に内障子２０が突き合わせ框２３を互いに突き合わせる位置（以下、単に「内障子２０の突き合わせ位置２０Ａ」という）から長手方向にずれるように設定してある。
【００３９】
また、図５及び図６に示すように、開口枠１０の下枠１２には、内レール部１４の支持台部１４ｂにおいて内収容溝１５ｂのレール支持ヒレ部１２ｅに当接する部位に止水材３０が貼り付けてあるとともに、止水材３０の両端部に対応する位置に排水孔１２ｆが設けてある。止水材３０は、透水性に乏しい合成樹脂材、例えばＥＰＤＭ（エチレン−プロピレン−ジエンゴム）によって成形した帯状の薄膜部材であり、内レール部１４の支持台部１４ｂとレール支持ヒレ部１２ｅとの間の隙間を通じた水の流通を阻止するものである。この止水材３０は、内レール部１４の分割面１４Ａから内障子２０の突き合わせ位置２０Ａを超える部位までの間の全長に渡って配設してある。排水孔１２ｆは、内収容溝１５ｂにおいて内方ヒレ部１２ａとレール支持ヒレ部１２ｅとの間に上下方向に沿って設けた貫通孔である。それぞれの排水孔１２ｆは、下枠１２の長手方向に沿った長孔であり、止水材３０の両端部に対応して開口するように形成してある。尚、止水材３０は、必ずしも分割面１４Ａから内障子２０の突き合わせ位置２０Ａを超える部位までの全長に渡って配設する必要はなく、少なくとも内障子２０の突き合わせ位置２０Ａを含む部位にあれば良い。また、排水孔１２ｆは、必ずしも止水材３０の両端に対応する位置に設ける必要はなく、少なくともレール部１４の分割面１４Ａに近接した止水材３０の一方の端部に対応する位置に設けてあれば十分である。
【００４０】
上記のように構成した建具では、レール部１４の障子支持面１４ａに戸車２７を当接させた状態で外障子２０及び内障子２０が開口枠１０にスライド可能に支持されることになる。障子２０と上枠１１との間においては、上枠１１に設けたガイドヒレ部１１ａが障子２０の上框２１に設けたガイド溝２１ａに配設され、開口枠１０に対する障子２０のスライド移動が案内されることになる。
【００４１】
障子２０の下框２２に設けた挿入ヒレ部２２ａは、レール部１４の両側においてそれぞれの下端部がレール収容溝１５ａ，１５ｂの内部に配置されることになる。さらに、図１に示すように、それぞれの障子２０の室内側に位置する挿入ヒレ部２２ａは、内方ヒレ部１２ａの上端部及び中間ヒレ部１２ｃの上端部に配設した気密材４０に当接された状態となる。
【００４２】
上述したように、この建具では、下枠１２のレール部１４が平板状の障子支持面１４ａを有し、かつこの障子支持面１４ａが下枠１２の内方ヒレ部１２ａ、外方ヒレ部１２ｂ及び中間ヒレ部１２ｃとほぼ同じ高さで互いに平坦状となるように構成しているため、高齢者や障害者にとっても安全性が高く、使い勝手が良いものとなる。しかも、下枠１２に対してレール部１４が着脱可能であるため、レール収容溝１５ａ，１５ｂにゴミ等の異物が進入した場合にもこれを容易に除去することができ、メインテナンス性の点でも有利となる。この場合、レール部１４を分割構成としてあるため、その取り扱い性も良好となる。
【００４３】
また、互いに突き合わされた状態となる内障子２０の突き合わせ框２３については、その全長に渡る部位に内装噛合部１２０及び外装噛合部１３０を設けるとともに、それぞれの下端部に止水ブロック１４０，１５０を装着するようにしている。従って、室外側から風圧力を受けてそれぞれの内障子２０が室内側に向けて凸となるように湾曲した場合であっても、突き合わせ框２３の相互間から外気が室内に進入する事態を可及的に防止することができる。特に、止水ブロック１４０，１５０については、内障子２０が室内側に向けて凸となるように湾曲した場合、重合ヒレ部１４１，１４２，１５１，１５２が互いに圧接されることになり、外気の通過がより抑えられることになる。
【００４４】
さらに、内レール部１４と下枠１２に設けたレール支持ヒレ部１２ｅとの間において内レール部１４の分割面１４Ａから内障子２０の突き合わせ位置２０Ａを超える部位までの全長に渡って止水材３０を配設するようにしているため、内障子２０から雨水等の水が内収容溝１５ｂに滴下した場合にも、この水が内障子２０の突き合わせ位置２０Ａに到達することがない。止水材３０の両端となる位置まで移動した水についても、図４に示すように、排水孔１２ｆを介して下枠１２の外部に排出されることになる。従って、室外側からの風圧力によって内障子２０が湾曲し、これに伴って突き合わせ框２３の相互間から室内側に外気が進入した場合であっても、この外気に伴って内収容溝１５ｂの水が室内側に浸入する恐れがなくなる。
【００４５】
尚、上述した実施の形態では、開口枠１０に対して４枚の障子２０を左右方向に配設した４枚建ての引き違い窓を例示しているが、開口枠を閉じた場合に互いに縦框を突き合わせた状態で配置される複数の障子を備えた建具であれば、３枚建ての引き違い窓や６枚建ての引き違い窓等、その他の建具にも適用することが可能である。
【００４６】
また、上述した実施の形態では、突き合わせ框２３の下端部に止水ブロック１４０，１５０を装着するようにしているため、より確実に水の浸入を抑えることができるが、止水ブロック１４０，１５０は必ずしも装着する必要はない。
【００４７】
さらに、上述した実施の形態では、図４に示すように、レール部１４の見付け面に止水材３０を貼り付けるようにしているため、止水材３０がレール部１４の取り付け高さに影響を与えることがなく、しかも、止水材３０が上下方向に沿った姿勢に配設されるため、水の浸入を効果的に抑制することが可能となる。しかしながら、下枠１２に止水材３０を貼り付けて建具を構成することも可能である。
【００４８】
またさらに、上述した実施の形態では、レール部１４が２分割の構成となった建具を例示しているが、レール部を３分割以上の構成としても構わない。例えば、レール部を３分割の構成とし、かつ障子の突き合わせ位置が中央のレール部となる建具の場合には、中央のレール部と下枠との間において突き合わせ位置を含む部分に唯一の止水材を配設すれば良い。尚、排水孔を設ける場合には、止水材の両方の端部に対応する部位にそれぞれ配設することが好ましい。
【符号の説明】
【００４９】
１０      開口枠
１２      下枠
１２ｆ      排水孔
１４      レール部
１４Ａ      分割面
１４ａ      障子支持面
２０      障子
２０Ａ      突き合わせ位置
２３      縦框
３０      止水材
１４０，１５０      止水ブロック
１４１，１４２，１５１，１５２      重合ヒレ部
【図１】
2014070404.tif 000003
【図２】
2014070404.tif 000004
【図３】
2014070404.tif 000005
【図４】
2014070404.tif 000006
【図５】
2014070404.tif 000007
【図６】
2014070404.tif 000008
【図７】
2014070404.tif 000009
【図８】
2014070404.tif 000010
【図９】
2014070404.tif 000011